(57)【特許請求の範囲】
【請求項１】
計時器用バランスばね（２１）を保持又は支持するアセンブリ（２０）であって、
バランスばねスタッド（１）及びスタッドホルダー（２）を有し、
前記スタッドホルダー（２）は、エスケープ機構（３０）に前記スタッドホルダー（２）を固定する手段（６）を有し、
前記バランスばねスタッド（１）は、前記バランスばね（２１）を保持又は支持する方向を定める少なくとも１つの横方向支え面（７）を有し、
前記スタッドホルダー（２）は、２つの部品によって形成されており、前記固定する手段（６）を支える剛構造体（５）と、及び前記剛構造体（５）に押され少なくとも１つの弾性リップ（９）を有するストリップ状ばね（８）とを有し、
前記少なくとも１つの弾性リップ（９）は、前記剛構造体（５）とともに、前記スタッド（１）を受け前記スタッド（１）の前記少なくとも１つの横方向支え面（７）と連係する前記スタッド（１）を指標付けされたロック位置に前記スタッド（１）を保持するように連係するチャンバー（１０）を形成する
ことを特徴とするアセンブリ（２０）。
【請求項２】
前記横方向支え面（７）は、前記バランスばね（２１）の外側端の方向を１つのみに定める配向表面を形成する
ことを特徴とする請求項１に記載のアセンブリ（２０）。
【請求項３】
前記バランスばねスタッド（１）は、前記少なくとも１つの横方向支え面（７）の対抗する両方の辺において、前記バランスばね（２１）の軸方向における前記バランスばねスタッド（１）の移動を制限する止め面（１１、１２）を有する
ことを特徴とする請求項１に記載のアセンブリ（２０）。
【請求項４】
前記少なくとも１つの横方向支え面（７）は、前記止め面（１１、１２）が前記バランスばね（２１）の軸方向（Ｄ）の方向におけるバランスばねスタッド（１）の位置を１つのみに定めるように調整される
ことを特徴とする請求項１に記載のアセンブリ（２０）。
【請求項５】
前記剛構造体（５）及び／又は前記ストリップ状ばね（８）は、前記剛構造体（５）と前記ストリップ状ばね（８）の間の前記バランスばねスタッド（１）の接線方向の挿入のため、及び前記ストリップ状ばね（８）の弾性戻し力に対抗して前記チャンバー（１０）内への挿入のために、挿入用傾斜（１３、１４）を有する
ことを特徴とする請求項１に記載のアセンブリ（２０）。
【請求項６】
前記剛構造体（５）及び／又は前記ストリップ状ばね（８）は、前記チャンバー（１０）に切り欠き（１５）を有する
ことを特徴とする請求項１に記載のアセンブリ（２０）。
【請求項７】
前記横方向支え面（７）は、前記バランスばね（２１）の軸方向（Ｄ）に平行な平坦な部分（１６）である
ことを特徴とする請求項１に記載のアセンブリ（２０）。
【請求項８】
前記剛構造体（５）は、ストリップ状ばね（８）に設けられた突起（１８）と連係するように構成する切り欠き（１７）、又はストリップ状ばね（８）に設けられた切り欠き（１７）と連係するように構成する突起（１８）を有し、
これによって、前記剛構造体（５）及び前記ストリップ状ばね（８）が、一方が他方の上になって押すように回転するように固定される
ことを特徴とする請求項１に記載のアセンブリ（２０）。
【請求項９】
前記剛構造体（５）は、実質的に環状であり、これによって、前記剛構造体（５）が、前記バランスばね（２１）の軸（Ｄ）を中心にして、前記エスケープ機構（３１）の構造（３１）に支持されるように保持されることが可能になる
ことを特徴とする請求項１に記載のアセンブリ（２０）。
【請求項１０】
前記ストリップ状ばね（８）は、実質的に環状であり、これによって、前記ストリップ状ばねが、前記エスケープ機構（３０）の構造（３１）と前記剛構造体（５）の間で支持されるように保持されること、又は前記バランスばね（２１）の軸方向（Ｄ）を中心にして共通の周全体にわたって前記剛構造体（５）に支持されるように保持されることが可能になる
ことを特徴とする請求項１に記載のアセンブリ（２０）。
【請求項１１】
前記剛構造体（５）は、前記バランスばね（２１）の軸方向（Ｄ）に垂直な少なくとも１つの面（５１、５２）を有する
ことを特徴とする請求項１に記載のアセンブリ（２０）。
【請求項１２】
前記剛構造体（５）は、お互い平行であって前記バランスばね（２１）の軸方向（Ｄ）に垂直である２つの面（５１、５２）を有する
ことを特徴とする請求項１に記載のアセンブリ（２０）。
【請求項１３】
前記スタッドホルダー（２）は、２つの相補的な部品によって形成され、そのそれぞれは、前記バランスばねスタッド（１）をクランプされた状態で保持するように、前記バランスばねスタッド（１）の１つの表面と連係するように構成する
ことを特徴とする請求項１に記載のアセンブリ（２０）。
【請求項１４】
前記ストリップ状ばね（８）は、前記スタッド（１）を受ける前記チャンバー（１０）を前記弾性リップ（９）とともに定めるように前記弾性リップ（９）と連係し、
指標付きのロック位置に前記スタッド（１）を保持するように前記スタッド（１）の前記少なくとも１つの横方向支え面（７）と連係する、付加的なウィング（１０９）をさらに有する
ことを特徴とする請求項１に記載のアセンブリ（２０）。
【請求項１５】
前記付加的なウィング（１０９）は、弾性を有する
ことを特徴とする請求項１４に記載のアセンブリ（２０）。
【請求項１６】
請求項１に記載のアセンブリ（２０）を少なくとも１つ有する
ことを特徴とする計時器用エスケープ機構（３０）。
【請求項１７】
請求項１６に記載のエスケープ機構（３０）を少なくとも１つ有する
ことを特徴とする計時器用ムーブメント（４０）。
【請求項１８】
請求項１７に記載のムーブメント（４０）を少なくとも１つ有し、腕時計である
ことを特徴とする計時器（５０）。
【発明の詳細な説明】
【技術分野】
【０００１】
本発明は、バランスばねスタッド及びスタッドホルダーを有する計時器用バランスばねを保持又は支持するためのアセンブリであって、スタッドホルダーは、エスケープ機構にスタッドホルダーを固定する手段を有し、バランスばねスタッドは、バランスばねを保持又は支持する方向を定める少なくとも１つの配向表面を有するような、アセンブリに関する。
【０００２】
本発明は、さらに、この種の保持アセンブリを少なくとも１つ有する計時器用エスケープ機構に関する。
【０００３】
本発明は、さらに、このようなエスケープ機構を少なくとも１つ有する計時器用ムーブメントに関する。
【０００４】
本発明は、さらに、この種のムーブメントを少なくとも１つ有する計時器に関する。
【０００５】
本発明は、計時器用エスケープ機構の分野に関する。
【背景技術】
【０００６】
多数の大量生産される口径において、バランスばねの外部取り付け点を形成するバランスばねスタッドは、スタッドホルダーにつかまれ、スタッドホルダーは、平坦で型押しされた部品である。
【０００７】
ハイエンド向けの生産においては、バランスばねスタッドは、機械加工された部品であるスタッドホルダーにねじ込まれる。そして、止めねじがねじ足とねじ山の間ではたらく。ねじ頭はロックされない。ロックによって、頻繁な破損を引き起こす。これは、ねじ足がバランスばねスタッドにロックされ、オペレーターがねじを回し続ける際に、経験するねじれ応力に起因する。
【０００８】
ＰＡＲＥＣＨＯＣ  ＳＡ名義のスイス特許出願ＣＨ  ３３２５４８Ａは、バランスばねの有効長を規制するデバイスを開示しており、このバランスばねの端は、バランスばねスタッドの介在なしでバランスばねを直接クランプするデバイスによって、スタッドなしで固定される。「バランスばねホルダー」と呼ばれる部品、及び「曲がり板」と呼ばれる部品が、ともにバランスばねを制限するのに必要である。この曲がり板は、独立的な部品であり、これは、バランスばねスタッドと同一視することができない。バランスばねをロックするためにねじが使用される。第１の弾性ストリップ片（細長片）が、バランスばねの有効長を決定するために使用される。曲がり板は第２の弾性ストリップ片を第１の弾性ストリップ片に押しつけて、曲がり板が不適当に動くのを防ぐ。この機構は、単にストリップ片の弾性的な効果によって、バランスばねを支えるユニットの挿入及び解放を許容しない。
【０００９】
ＧＬＡＳＨＵＴＴＥ  ＵＨＲＥＮＢＥＴＲＩＥＢ名義の欧州特許出願ＥＰ  ２２９０４７７Ａ１は、スタッド止めねじを固定する雌ねじを有するスタッドホルダーを記載しており、これは、スタッドの厚みの一部にわたってスタッド内の凹部と連係する。ねじを受ける雌ねじを支える区分壁は剛性を有する壁である。この構造は、取り付け点を変更するために、スタッドとバランスばねの間に設けることができる摩擦防止パッドを使用する。したがって、これもまた、バランスばねの有効長を調整するシステムである。
【００１０】
両方の場合において、実際にクランプされるのはバランスばねである。これは、ねじれ又は圧縮応力に耐えることができないシリコンバランスばねでははたらくことができない。
【発明の概要】
【発明が解決しようとする課題】
【００１１】
本発明は、ハイエンド向けのムーブメントと互換性を有するようなバランスばねの外側コイルを保持する解決策を提供し、ねじがない固定手法によって止めねじの頻発する問題を解決しようとするものである。
【課題を解決するための手段】
【００１２】
このために、本発明は、計時器用バランスばねを保持又は支持するアセンブリに関し、バランスばねスタッド及びスタッドホルダーを有し、前記スタッドホルダーは、エスケープ機構に前記スタッドホルダーを固定する手段を有し、前記バランスばねスタッドは、前記バランスばねを保持又は支持する方向を定める少なくとも１つの配向表面を有し、前記スタッドホルダーは、２つの部品によって形成されており、前記固定する手段を支える剛構造体と、及び前記剛構造体に押され少なくとも１つの弾性リップを有するストリップ状ばねとを有し、前記少なくとも１つの弾性リップは、前記剛構造体とともに、前記スタッドを受け前記スタッドの前記少なくとも１つの配向表面と連係する前記スタッドを指標付けされたロック位置に前記スタッドを保持するように連係するチャンバーを形成する。
【００１３】
本発明の特徴の１つによって、横方向支え面は、バランスばねの外側端の方向を１つに定める配向表面を形成する。
【００１４】
本発明は、さらに、この種の保持アセンブリを少なくとも１つ有する計時器用エスケープ機構に関する。
【００１５】
本発明は、さらに、このようなエスケープ機構を少なくとも１つ有する計時器用ムーブメントに関する。
【００１６】
本発明は、さらに、この種のムーブメントを少なくとも１つ有し、腕時計である計時器に関する。
【００１７】
添付図面を参照して以下の詳細な説明を読むことで、本発明の他の特徴及び利点を思い描くことができるであろう。
【図面の簡単な説明】
【００１８】
【図１】図１は、本発明に係るバランスばね保持アセンブリを有するエスケープ機構の概略的な部分的な斜視図を示し、このバランスばね保持アセンブリは、バランスばねスタッドを表示する位置において、保持アセンブリに設けられたチャンバーの中へのスタッドの挿入区画において、バランスばねの外側コイルを保持している。保持アセンブリは、バランスコックのようなエスケープ機構の構造に固定される。
【図２】図２は、この保持アセンブリの概略拡大斜視図を示し、この保持アセンブリは、一定の厚みを有する第１の変形例における剛構造体と、及びストリップ状ばねとを有し、これらはともに、バランスばねスタッドを受けクランプするチャンバーを形成するように構成し、スタッドはアセンブリと連係するように構成している。
【図３】図３は、図２のストリップ状ばねの概略的斜視図を示す。
【図４】図４は、第２の変形例における２レベルにある剛構造体の概略的斜視図を示す。
【図５】図５は、本発明に係るアセンブリによって保持されるバランスばねを有するエスケープ機構を有するムーブメントを有する計時器のブロック図である。
【図６】図６は、スタッドを受けるチャンバーがストリップ状ばねに設けられた２つの可撓性ストリップによって定められる変形例の概略的斜視図を示す。
【図７】図７は、スタッドを受けるチャンバーがストリップ状ばねに設けられた２つの可撓性ストリップによって定められる変形例の概略的斜視図を示す。
【発明を実施するための形態】
【００１９】
スタッドを保持するねじを使用しないようにするために、本発明は、弾性的戻し手段を有する固定要素を使用し、この弾性的戻し手段は、一方では、スタッドに特定の力をはたらかせることによってスタッドを挿入し又は引き抜き、他方では、単一の止め位置に動作位置のスタッドを保持することを可能にする。
【００２０】
このように、本発明は、計時器用バランスばね２１を保持又は支持するアセンブリ２０に関し、これは、バランスばねスタッド１及びスタッドホルダー２を有する。図１に示すように、このスタッドホルダー２は、バランスコックのようなエスケープ機構３０にスタッドホルダー２を固定する手段６を有する。
【００２１】
バランスばねスタッド１は、この種のバランスばね２１を保持又は支持する方向を定める少なくとも１つの横方向支え面７を有する。
【００２２】
本発明によると、このスタッドホルダー２は、少なくとも２つの部分で形成されており、固定する手段６を支える剛構造体５、及びこの剛構造体５を押すストリップ（細長）状ばね８を有する。このストリップ状ばね８は、少なくとも１つの弾性リップ９を有し、この弾性リップ９は、剛構造体５と連係して、バランスばねスタッド１を受けるチャンバー１０を形成する。この弾性リップ９は、スタッド１の少なくとも１つの横方向支え面７と連係して、指標付きのロック位置にスタッド１を保持する。要するに、図２に示すように、スタッド１は、ストリップ状ばね８の弾性リップ９と、剛構造体５の切り欠き５３との間でクランプされる。
【００２３】
好ましくは、横方向支え面７は、バランスばね２１の外側端の方向を１つに定める配向表面を形成する。
【００２４】
本発明の好ましい一実施形態において、スタッドホルダー２は２つの部品によって形成されており、これによって、経済性が高い。なぜなら、スタッドホルダー２を形成する２つの部品のそれぞれは、製造が非常に簡単であり、大量生産の大きさと完全に互換性を有する。２つの部分で形成されるこのスタッドホルダー２は、さらに、最低限の間隙しか必要としない。実際に、図に示すように、好ましくは、ストリップ状ばね８は、剛構造体５を少なくとも部分的に包囲し、バランスピボット軸の軸方向Ｄにおいて占有される間隙の合計は、剛構造体５の厚みと、ストリップ状ばね８が好ましくは形成される金属板の厚みとの和である。
【００２５】
したがって、好ましいことに、スタッドホルダー２は、２つの相補的な部分によって形成される。これらのそれぞれがスタッド１の１つの表面と連係して、スタッド１をクランプするように保持する。
【００２６】
図１、２及び３に示したストリップ状ばね８は、好ましくは、切断され折られたシートメタルで作られ、他の特定の機械加工を必要としない。このストリップ状ばねは廉価であり、これによって、エスケープ機構３０の同じ支持構造３１、そして同じ剛構造体５とともに、異なる大きさのいくつものストリップ状ばね８を使用して、異なる幾何学的構成を有する多くのスタッドのモデルと連係させることができる。
【００２７】
剛構造体５は、その大きさに依存して、機械加工することができ、また、ストリップ状ばね８よりも厚く剛性が高い材料に対して型押しをすることによって作ることができる。図２は、一定の厚みを有する非常に経済的な第１の変形例を示す。これは、この種の型押しされた実施形態に適している。図４は、２レベルにある剛構造体５の第２の変形例を示す。これは、好ましくは機械加工される。
【００２８】
本発明に係るアセンブリ２０を保持するアセンブリは、スタッドホルダーの機械加工及び作成を単純化する。なぜなら、従来技術と異なり、バランスばねスタッド１を受けるボアないし同様な凹部、あるいはロックねじと連係する雌ねじを作ることが必要なくなるからである。
【００２９】
図に示す変形実施形態（これに限定されない）によって、少ない生産コストとともに、アセンブリを非常に簡単にすることができる。
【００３０】
好ましくは、スタッド１は、バランスばね２１の外側端の配向を定めるために設けられた少なくとも１つの横方向支え面７の対向する両方の辺に、剛構造体５及びストリップ状ばね８のアセンブリによって形成されるクランプに対してのバランスばね２１の軸方向Ｄのスタッド１の移動を制限するための止め面１１、１２を有する。図示した変形例において、ストリップ状ばね８の弾性リップ９は、この横方向支え面７と平行で（そして、それぞれが軸方向Ｄに垂直な平面に位置する）、この横方向支え面７と連係する２つの縁面９１及び９２を有し、これは、この変形例において、止め面１１、１２によって定められる平坦な部分１６によって形成される。好ましくは、複数の変形例に示すように、横方向支え面７は、バランスばね２１の軸Ｄと平行な平坦な部分１６である。
【００３１】
極めて簡単な場合は、止め面１１、１２の間の間隙Ｅ１は、軸方向の遊びなしで保持するために、縁面９１、９２の間の間隙Ｅと等しいように定めることができる。したがってこの極めて簡単な場合において、この少なくとも１つの横方向支え面７は、止め面１１、１２がバランスばね２１の軸方向Ｄの方向においてバランスばねスタッド１の位置を１つのみに定めるように調整される。
【００３２】
別の一変形例において、間隙Ｅよりも大きな間隙Ｅ１を選択することによって、特定の離間距離を設けることができ、これによって、所望の調整幅の値の分、スタッド１の限定された軸方向の調整が可能になる。
【００３３】
更なる別の一変形例において、スタッド１は、軸方向Ｄにおける少なくとも一方の側において止め面を有していない。
【００３４】
この保持アセンブリ２０に対するスタッド１の挿入又は引き抜きを促進するために、剛構造体５及び／又はストリップ状ばね８は、剛構造体５とストリップ状ばね８の間のスタッド１の（図１の矢に沿った）接線方向の挿入のために、又は反対に、接線方向の引き抜きのために、挿入用傾斜１３、１４を有する。この単純で集合的な傾斜によって、ストリップ状ばね８の弾性戻し力に対抗してのチャンバー１０への挿入が促進される。引き抜きについて同じことが言える。スタッド１がこの傾斜及びストリップ状ばね８に対して押された場合、弾性リップ９を持ち上げて、スタッドがチャンバー１０内の取り付け位置に達することを可能にする。チャンバー１０は、切り欠き１５によって輪郭が定められ、この切り欠き１５が挿入又は引き抜きの境界を形成する。
【００３５】
図示した変形例において、チャンバー１０は、図３に示す凹部８０において、ストリップ状ばね８の側に位置しており、スタッド１は、弾性リップ９の裏面９３に、そして、剛構造体５の側で切り欠き５３において支えられる。この切り欠き５３の境界は、一方では、好ましくは曲がったエントリー区画５２によって定められ、この種の傾斜１３を形成し、他方では、平坦な部分５１によって定められる。この平坦な部分５１は、選ばれた実施形態に依存して、弾性リップ９から遠いままか、又は図３に示すように、弾性リップ９の１つの部分９４を当接するように受ける。ここにおいて、スタッド１と当接するように連係するのは１つの突出端９５のみである。剛構造体と弾性ストリップ状ばねの間のスタッドをクランプすることを伴うような本発明の範囲から逸脱せずに、他の変形例を考えることができる。
【００３６】
すべての変形例において、チャンバー１０は、軸方向Ｄに垂直な平面への射影における１つの位置のみにスタッド１を動けなくするように考えられている。
【００３７】
好ましくは、剛構造体５及び／又はストリップ状ばね８は、挿入又は引き抜きの境界に対応するチャンバー１０に切り欠き１５を有する。
【００３８】
図に示す好ましい実施形態において、剛構造体５とストリップ状ばね８の間の最適な相対的な位置合わせのために、剛構造体５は、ストリップ状ばね８に設けられた突起１８と連係するように構成する切り欠き１７（又は溝など）、又はストリップ状ばね８に設けられた切り欠きと連係するように構成する突起１８を有し、これによって、剛構造体５とストリップ状ばね８を一方が他方の上で押す形態で固定する。図示していない変形例において、ストリップ状ばねは、さらに、少なくとも３つのタブを有することができる。これは、弾性ストリップ片９のように９０°折り曲げられ、ストリップ状ばね８のボア８１又は周縁８２上に配置され、剛構造体５のボア５８又は周縁５９と連係するように構成して、これら２つの要素が完全に共軸であるようなアセンブリを確実にする。
【００３９】
この相対的な位置合わせによって、剛構造体５とストリップ状ばね８を同期させることが、これらのアセンブリ時に、あるいはスタッド１の位置の角度調整を行うために、制限された角度的な移動性を可能とするようにアセンブリ２０を保持することが決定された場合には、調整段階において、可能となる。当然、この機構は、構造３１に対してアセンブリ２０を所定位置に保持する手段を少なくとも必要とする。
【００４０】
好ましくは、剛構造体５は、実質的に環状となっており、これによって、剛構造体５が、バランスばね２１の軸方向Ｄを中心にして、エスケープ機構３０の構造３１、特に、バランスコックに支えられるように保持されることが可能になる。
【００４１】
好ましくは、ストリップ状ばね８は、実質的に環状であり、これによって、ストリップ状ばね８が、バランスばね２１の軸方向Ｄを中心にして、構造３１と剛構造体５の間に支えられるように保持され、又はそれらの共有される周全体にわたって剛構造体５に支えられるように保持されることが可能になる。好ましいことに、剛構造体５は構造３１に取り付けられて、ストリップ状ばね８を制限する。
【００４２】
経済的な一実施形態において、剛構造体５は、バランスばね２１の軸方向Ｄに垂直な少なくとも１つの面５１、５２を有し、好ましくは、剛構造体５は、お互いに平行であってバランスばね２１の軸方向Ｄに垂直な２つの面５１、５２を有する。
【００４３】
剛構造体５が２つのレベルにある図４における特定の場合においては、ねじを有する従来のスタッドホルダーが元々設けられたエスケープ機構との互換性を有することが可能になる。これによって、製造コストが大きくても、高い高さを超えてスタッド１をガイドすることが改善されるという利点によって補われる。
【００４４】
図６及び７は、単一片の折り曲げ部分を有する２つの変形例を示す。これは、弾性ストリップ片９に加えて、付加的な好ましくは弾性を有するウィング１０９を有し、これは、切り欠き５３を有し、一方では、傾斜１３を形成する、好ましくは曲がった、エントリー区画５２によって輪郭が定められ、他方では、平坦な部分５１によって輪郭が定められる。これらの２つの変形例においては、緩衝機構のための保持要素を設けることが好ましい。このようにして、チャンバー１０は、これらの２つの可撓性ストリップ９、１０９によって輪郭が定められる。このようにして、剛構造体５は、バランスコックに固定する手段６が設けられた単純なワッシャーへと単純化することができる。
【００４５】
別の一変形例は、スタッドホルダーを完全に一片で作り、また、バランスコックに固定する手段をさらに取り入れることを伴う。しかし、これは製造コストが高いであろう。なぜなら、好ましくは異なる材料の区画の領域を有するからである。
【００４６】
本発明は、さらに、このような保持アセンブリ２０を少なくとも１つ有する計時器用エスケープ機構３０に関する。
【００４７】
本発明は、さらに、この種のエスケープ機構３０を少なくとも１つ有する計時器用ムーブメント４０に関する。
【００４８】
本発明は、さらに、このようなムーブメント４０を少なくとも１つ有する計時器５０に関する。具体的には、この計時器５０は、腕時計である。
【００４９】
手短に書くと、本発明は以下のような様々な利点を有する。すなわち、
−スタッドホルダーへのバランスばねの取り付けは完全に保証される。
−本発明によって、シリコン、石英、アモルファス物質、ＤＬＣなどで作られたバランスばねの使用が可能になる。
−ねじを有する従来のスタッドホルダーのねじが、廉価な切り出し部品に置き換えられる。
−スタッドホルダーを形成する剛構造体の機械加工が、大きく単純化され又は型押しによって置き換えられる。
−本機構の魅力及び質は、ハイエンド向けの計時器用ムーブメントと互換性を有する。
−スタッドの軸方向の調整は依然として可能である。
−本発明に係る機構は、従来のスタッドホルダーを有する既存のムーブメントにおいて交換可能である。
【符号の説明】
【００５０】
１      バランスばねスタッド
２      スタッドホルダー
５      剛構造体
７      横方向支え面
８      ストリップ状ばね
９      弾性リップ
１０    チャンバー
１１    止め面
１２    止め面
１３    挿入用傾斜
１４    挿入用傾斜
１７    切り欠き
１８    突起
２１    バランスバネ
３０    エスケープ機構
１０９  ウィング
Ｄ      軸方向
【図１】
0005938087.tif 000002
【図２】
0005938087.tif 000003
【図３】
0005938087.tif 000004
【図４】
0005938087.tif 000005
【図５】
0005938087.tif 000006
【図６】
0005938087.tif 000007
【図７】
0005938087.tif 000008